(57)【要約】本発明は、切頭円錐部（３）を有する前部をもつカラー表示管（１）と、複数の電子ビーム（５）を発生する手段と、切頭円錐部（３）と実質的に平行に延在する強磁性材料のシールディング（９）と、円錐部（３）の外周に沿って延在する少なくとも２つの消磁コイル（１１，１２）を有する消磁装置とを備えるカラー表示装置に関する。消磁装置は、同時に且つ位相差をもってコイル（１１，１２）を励磁し、それにより回転磁場を生じさせる。磁場が回転するとき、その磁場は、シールディング（９）の形状に実質的に一致するように形成されることができ、その結果としてシールディング面の大部分にわたってシールディング（９）と平行な磁場を与える。これにより消磁工程が改善され、電子ビームのより良好なランディング性能につながる。
2004511187.tif 000002
【特許請求の範囲】
【請求項１】
切頭円錐部を有する前部をもつカラー表示管と、複数の電子ビームを発生する手段と、前記切頭円錐部と実質的に平行に延在する強磁性材料のシールディングと、前記切頭円錐部の外周に沿って延在する少なくとも２つの消磁コイルを有する消磁装置とを備えるカラー表示装置であって、
前記消磁装置が、前記コイルを同時に且つ位相差をもって励磁し、それにより回転磁場を生じさせることを特徴とするカラー表示装置。
【請求項２】
前記コイルが、共通電源と並列に接続される、請求項１に記載のカラー表示装置。
【請求項３】
前記コイルが同一のものであり、前記コイルのうち少なくとも一方が、キャパシタと直列に接続される、請求項２に記載のカラー表示装置。
【請求項４】
前記コイルが、異なるリアクタンスを含む異なる電気的特性をもつ、請求項２に記載のカラー表示装置。
【請求項５】
前記コイルが、異なる巻数を有する、請求項４に記載のカラー表示装置。
【請求項６】
前記コイルが、異なる線径を有する、請求項４又は５に記載のカラー表示装置。
【請求項７】
シールディングの外周に沿って延在する少なくとも２つの消磁コイルを有する消磁装置を備えるカラー表示装置において前記シールディングを消磁する方法であって、前記コイルを同時に且つ位相差をもって励磁し、それにより回転磁場を生じさせることを特徴とする方法。
【発明の詳細な説明】
【０００１】
【発明の属する技術分野】
本発明は、切頭円錐部を有する前部をもつカラー表示管と、複数の電子ビームを発生する手段と、前記切頭円錐部と実質的に平行に延在する強磁性材料のシールディングと、前記円錐部の外周に沿って延在する少なくとも２つの消磁コイルを有する消磁装置とを備えるカラー表示装置に関する。
【０００２】
更に、本発明は、表示装置のシールディングを消磁する方法、いわゆるデガウスに関する。
【０００３】
【従来の技術】
このタイプのカラー表示装置は、従来技術においてよく知られている。強磁性材料のシールディングの目的は、地球磁場の画像表示への影響を減少させることである。このシールディングが無いと、電子ビームは地球磁場によって影響を及ぼされ、これは電子ビームのランディングにエラーを引き起こす。
【０００４】
表示装置がオンに切り換えられると、振幅が減少する交流電流を用いることによって該スクリーンが消磁される。前記電流は、表示管の壁に配されるコイルを流れ、磁場を生成する。この処置によって、シールディングの磁化は、ある場所における地球磁場の向きに合わせて適応化される。
【０００５】
このタイプの消磁（デガウスとも呼ばれる）に伴う問題は、印加された場がシールディングと平行でないために、シールディングの一部分が消磁されない、又は不十分に消磁されるという問題である。実際に、２つのコイルから生じる場は、図１に示される形状をほぼ呈し、シールディングの大部分に関して明らかに直交する。
【０００６】
この問題を解決するために、米国特許第５，５５９，４０１号は、２つのコイルが異なる時間に励磁されるカラー表示装置を説明する。この解決策によって、シールディングは、２つのオーバーラッピングしうる「ショット」で消磁され、結果として図２ａ乃至図２ｃに図示される異なる磁場をもたらす。この技法により性能は著しく改善されるけれども、依然としてシールディングのうち十分に消磁されない領域、とりわけ隅部分（コーナー）が残る。
【０００７】
【発明が解決しようとする課題】
本発明の目的は、改善されたランディング性能を有し、冒頭部分に説明された種類の表示装置を提供することである。本発明の他の目的は、シールディング面の大部分と実質的に平行である、デガウスのための磁場（以下、デガウス磁場）を発生させることである。
【０００８】
【課題を解決するための手段】
この目的のために、本発明による装置は、消磁装置が位相シフトされるやり方でコイルを励磁し、それにより回転磁場をもたらす手段を備えることを特徴とする。この回転磁場は、シールディングの形状と実質的に一致するように配されることが可能であり、これによりシールディング面の大部分にわたってシールディングと平行である磁場をもたらす。これにより消磁工程が改善され、電子ビームのより良好なランディング性能につながる。
【０００９】
コイルは、好ましくは、共通電源と並列に接続される。回転磁場が満足ゆく消磁を確実に行うので、２つの別個の電源は必要ない。
【００１０】
コイルは同一のものであってもよく、これらコイルのうち少なくとも一方が、キャパシタ及び／又はインダクタと直列に接続される。キャパシタ又はインダクタは、並列に接続される分岐部の一方のリアクタンスに影響を及ぼし、位相差を生じさせる。
【００１１】
他の選択肢として、コイルは、異なるリアクタンスを含む異なる電気的特性をもつこともできる。異なるタイプの消磁コイルを必要とする一方で、キャパシタのような追加の回路部品の必要性は排除される。異なる電気的特性は、異なる巻数、又は異なる線径をもつコイルを用いることによって、簡単に実現されることができる。
【００１２】
本発明の別の態様によると、上記の種類のカラー表示装置においてシールディングを消磁する方法は、前記コイルを同時に且つ位相差をもって励磁し、それにより回転磁場を生じさせることを特徴とする。
【００１３】
本発明のこれら及び他の態様は、添付される図面を参照して説明される好ましい実施例から明らかとなり、これら実施例を参照としてより明瞭に説明されるであろう。
【００１４】
【発明の実施の形態】
図３及び図４は、それぞれ消磁装置をもつカラーテレビジョン表示管の背面図及び長手断面図である。分かり易くするために、本発明の理解に関して重要でない詳細部分は全て省かれている。
【００１５】
表示管１は、円筒形のネック部２及び切頭円錐部３を有する。この円錐部３のもっとも幅の広い部分が、表示管の前側にある。表示管１は、カラー選択電極４及び表示画面（図示せず）を備える。
【００１６】
カラー選択電極４は、アパーチャのパターンを有する。表示画面は、蛍光体エレメントのパターンを有し、かかる蛍光体エレメントは、そこに電子が入射されると、赤、緑又は青色のうち一色で発光する。ネック部の後部は、３つの電子銃５（概略的に図示する）を収容する。ネック部と円錐部との間のつなぎ目領域において、偏向ユニット６（概略的に図示する）が表示管に設けられ、かかるユニットは、電子ビームを水平方向及び垂直方向に偏向するための制御偏向コイル７を有する。図３に示されるように、偏向コイル７は、例えば、鞍形のコイルであってもよく、動作中、鋸歯状の電流がかかるコイルを流れる。例として、周波数は、水平偏向に関して約１６乃至３２ｋＨｚであり、垂直偏向に関して約５０乃至１００ｋＨｚでありうる。
【００１７】
カラー選択電極４は、フレーム８から懸架され、このフレーム８は、図示されない手段により前記表示管に固定される。磁気シールド９もこのフレームに固定される。シールド９は、前記円錐部の内側表面の大部分に沿って延在する。シールド９、フレーム８及びカラー選択電極４は、高い透磁性をもつ材料から作られるので、電子ビームを通すためにシールド９に設けられるアパーチャ１０を除いて、前記シールド９，フレーム８及びカラー選択電極４は、協働して前記円錐部内に磁気回路を構成する。この磁気回路は「シールディング」と呼ばれ、このシールディングこそが、電子ビームの最適なランディング性能を実現するために消磁されるべきものである。
【００１８】
この消磁を実行するために、２つの消磁コイル１１，１２が、前記円錐部の外側に配される。これら消磁コイルは、合成材料のフック１３によって、円錐部の前部を囲む金属製締め付けストラップ１４に固定され、また相互に固定される。消磁コイルは、前方に関しては円錐部表面の前側境界まで、後方に関しては偏向ユニットが許すところまで延在するので、これらコイルは、円錐部表面の非常に大きな部分を含む。消磁コイルは、接続ワイヤ１５，１６を介して電源に接続されることができる。
【００１９】
電源回路は、図５に概略的に示される。テレビジョン受信機２０は、スイッチ２１を介して、例えば（家庭用交流）電源などのＡＣ電圧源２２に接続される。２つの消磁コイル１１，１２は、接続ワイヤ１５，１６及びダブルサーミスタ２３を介してスイッチ２１と並列に接続される。ダブルサーミスタ２３は、高いＰＴＣ（Ｐｏｓｉｔｉｖｅ Ｔｅｍｐｅｒａｔｕｒｅ Ｃｏｅｆｆｉｃｉｅｎｔ：正温度係数）をもつ２つの熱的に接続された抵抗（レジスタ）２４及び２５を有する。スイッチが閉じられた後、まず大きな電流が消磁コイル１１，１２を流れ、前記電流は次第に減少し、抵抗２４及び２５が暖まるときには非常に低い値になる。これにより、消磁コイル１１，１２は、電源の周波数で交番する減少磁場を発生する。これはシールディングとその内側とを消磁するのに必要である。電流が減少した後に抵抗２４及び２５が再び冷却するのを避けるために、導通抵抗２６が備えられるので、大きな電流が消磁コイル１１，１２を流れなくても、ダブルサーミスタ２３をその温度に保持するのに十分な大きさの電流が抵抗２４及び２５を通して流れ続ける。
【００２０】
２つの消磁コイルが同じ電源回路により電力供給されているこれまでに知られた装置においては、２つの同一のコイルが直列に配されている。しかしながら、本発明によると、これらコイルは並列に接続され、位相差をもって磁場を発生する。このことは、異なる電気的特性、とりわけ異なるリアクタンスを図５の回路分岐部Ａ及びＢに与えることによって実現される。これを実行する簡略な好ましいやり方には、例えば、異なる線径及び異なる巻数を有する同一でないコイルを用いることによるやり方がある。他の選択肢として、図６に図示されるように、コイル間にキャパシタ２７又はインダクタを組み込むことによって実現されることもできる。
【００２１】
上述した回路の分岐部Ａ及びＢにおける異なるリアクタンスのおかげで、コイルを流れるようにされる電流は、互いに位相がずれることになり、それによって同様に位相がずれた磁場を発生させるだろう。従って、結果として得られる複合磁場３０は、図７に図示されるように回転するだろう。適切なやり方でコイル特性を調整することによって、シールディング内側表面の輪郭を非常に良好にたどる回転磁場が実行されうる。
【００２２】
例として、巻数がそれぞれ８０及び３２７であるコイルが使用されうる。このタイプのコイルを用いて実施された試験により、満足ゆく結果がもたらされた。
【００２３】
本発明は、上記に説明された実施例に限定されるものではなく、添付される請求項に呈示される独創的なアイディアの様々な変形例が、当業者によって実現されうることが留意されるべきである。例えば、同一のコイルを異なる位相シフトされた電源に接続して、位相差を生成する他のやり方が用いられることもできる。更により効率的な消磁を実現するために、本発明による装置及び方法が、何らかの既知の技法と組み合わせられうることも明白である。
【図面の簡単な説明】
【図１】従来技術による表示装置のデガウス磁場を図示する。
【図２ａ】従来技術による表示装置のデガウス磁場を図示する。
【図２ｂ】従来技術による表示装置のデガウス磁場を図示する。
【図２ｃ】従来技術による表示装置のデガウス磁場を図示する。
【図３】本発明による消磁装置を備えるテレビジョン表示管の背面図である。
【図４】線ＩＶ−ＩＶで切り取られた、図３の表示管の長手断面図である。
【図５】図３の消磁装置の電源回路の図である。
【図６】本発明の別の実施例による図５の回路部分である。
【図７】本発明による表示装置のデガウス磁場を図示する。
【国際公開パンフレット】
2004511187.tif 000003
2004511187.tif 000004
2004511187.tif 000005
2004511187.tif 000006
2004511187.tif 000007
2004511187.tif 000008
2004511187.tif 000009
2004511187.tif 000010
2004511187.tif 000011
2004511187.tif 000012
2004511187.tif 000013
【国際調査報告】
2004511187.tif 000014
2004511187.tif 000015